(57)【要約】【課題】ダニ捕集マットにおいて、ダニを効果的に誘引できて内部に閉じ込めておくことができ、また、表面に印刷などを可能とすること。【解決手段】ダニ誘引物質１０と、ダニ誘引物質１０を囲むフィルム袋体３０と、フィルム袋体３０の内部に空間を形成する緩衝体２０と、を備えたダニ捕集マット。フィルム袋体３０は、フィルムを貫通する多数の小穴３１が形成されており、かつ、内部が暗所を形成している。【選択図】図３
2015029433.tif 000002
【特許請求の範囲】
【請求項１】
ダニ誘引物質と、
前記ダニ誘引物質を囲むフィルム袋体と、
前記フィルム袋体の内部に空間を形成する緩衝体と、
を備え、
前記フィルム袋体は、フィルムを貫通する多数の小穴が形成されており、かつ、内部が暗所を形成していること、
を特徴とするダニ捕集マット。
【請求項２】
前記フィルム袋体はその内部を暗所とするために、フィルムに印刷、着色又は蒸着が施されていること、を特徴とする請求項１に記載のダニ捕集マット。
【請求項３】
前記緩衝体は繊維布地又は不織布であること、を特徴とする請求項１又は請求項２に記載のダニ捕集マット。
【請求項４】
前記フィルム袋体の内部に乾燥剤が配置されていること、を特徴とする請求項１ないし請求項３のいずれかに記載のダニ捕集マット。
【発明の詳細な説明】
【技術分野】
【０００１】
本発明は、ダニ捕集マット、特に、家屋に生息するダニを捕集するための簡易タイプのダニ捕集マットに関する。
【背景技術】
【０００２】
従来、家屋に生息するダニを捕集するためのマットとして特許文献１，２，３などに記載のものが種々知られている。これらの捕集マットはカーペットやマットレスの下側に設置し、３ヶ月程度経過した後に捕集したダニをマットごと廃棄して駆除している。
【０００３】
ところで、ダニは暗い場所に好んで生息する（背光性）が、従来の捕集マットでは、ダニの好む匂いで誘引することはあっても、暗い場所を作り出してダニを誘引することはなかった。また、マット本体の表面に印刷することが困難で使用中のマットの商品名、使用目的、使用方法、禁止事項などが判然とせず、設置の日時などを記すシールを同封したりしている。また、マットを廃棄する時点でダニの糞、死骸、生き残りのダニなどがマットの表面に沢山付着しており、これらが脱落、飛散するおそれが大きい。マットの表面全体に通気性があるため、マットの内外に誘引香の差が少なくマットに入りかけたダニがマットから離反する可能性があるなどの問題点を有していた。
【先行技術文献】
【特許文献】
【０００４】
【特許文献１】特許第５１２１２２８号公報
【特許文献２】特開２００６−３３３８４６号公報
【特許文献３】特開２００６−３４０６０６号公報
【発明の概要】
【発明が解決しようとする課題】
【０００５】
本発明の目的は、ダニを効果的に誘引できて内部に閉じ込めておくことのできる、また、表面に印刷などが可能なダニ捕集マットを提供することにある。
【課題を解決するための手段】
【０００６】
本発明の一形態であるダニ捕集マットは、
ダニ誘引物質と、
前記ダニ誘引物質を囲むフィルム袋体と、
前記フィルム袋体の内部に空間を形成する緩衝体と、
を備え、
前記フィルム袋体は、フィルムを貫通する多数の小穴が形成されており、かつ、内部が暗所を形成していること、
を特徴とする。
【０００７】
前記ダニ捕集マットは、押し入れや引出しの中、カーペットの下などに配置された状態でダニを誘引し、多数の小穴からフィルム袋体の内部に入り込ませて留まらせる。とりわけ、フィルム袋体の内部は暗所を形成しているため、暗部を好む（背光性）ダニが効果的に誘引され、かつ、一旦入り込んだダニは誘引物質の香りと暗がりによって外部に出てくることはない。また、フィルム袋体の表面に商品名や使用目的、使用方法、禁止事項などを印刷しておくことができ、使用開始日などをマジックインキなどで書き込むことも可能である。
【０００８】
前記ダニ捕集マットにおいて、フィルム袋体はその内部を暗所とするために、フィルムに印刷、着色又は蒸着などが施されていてもよい。フィルム袋体に形成された小穴は、その総面積がフィルム袋体の表面積の約２％以下であることが内部の暗がりを損なうことがないので好ましい。小穴は例えば直径１．０ｍｍで２０ｍｍ間隔でフィルムの全面に形成した場合、小穴の総面積はフィルム面積の５００分の１に過ぎず、フィルム袋体の内外の明度差は大きく、暗所が十分に形成される。
【０００９】
ダニは不飽和脂肪酸の匂いを好むことから、誘引物質にこれを含むことが好ましい。また、ダニは湿度６０％前後で繁殖などの活動ができなくなり、湿度５０％以下になると死滅してしまう。フィルム袋体の内部に乾燥剤を配置して湿度を５０％前後に維持すれば、入り込んできたダニは繁殖することなく死滅してしまう。さらに、フィルム袋体の内部に粘着層を配置しておけば、内部に入り込んだダニを粘着してしまうことができる。
【発明の効果】
【００１０】
本発明によれば、ダニを効果的に誘引できて内部に閉じ込めておくことができ、また、マットの表面に印刷などが可能である。
【図面の簡単な説明】
【００１１】
【図１】一実施例であるダニ捕集マットをその一部を切欠いて示す斜視図である。
【図２】前記ダニ捕集マットの内部構成を示す斜視図である。
【図３】前記ダニ捕集マットの断面図である。
【発明を実施するための形態】
【００１２】
以下に、本発明に係るダニ捕集マットの実施例について添付図面を参照して説明する。なお、各図において同じ部材、部分には共通する符号を付し、重複する説明は省略する。
【００１３】
一実施例であるダニ捕集マットＡは、概略、ダニ誘引物質１０と、該ダニ誘引物質１０を囲むフィルム袋体３０と、該フィルム袋体３０の内部に空間を形成する緩衝体２０と、を備えている。
【００１４】
ダニは不飽和脂肪酸を多く含む物質の匂いを好む性質がある。それゆえ、ダニ誘引物質１０としては、例えば、小麦粉、煮干し粉末、ビスケット粉末などを菜種油などで練り固めた団子状のものを扁平にして使用することが好ましい。ダニ誘引物質１０は小袋１１に包まれた状態で両面粘着テープ１２のほぼ中央部に配置される。また、誘引物質１０の両脇には乾燥剤１３を配置してもよい。小袋１１はガーゼなどの通気性に富んだ布製あるいは不織布であり、二つ折りにされている。乾燥剤１３としてはシリカゲルなどを好適に用いることができる。
【００１５】
緩衝体２０はガーゼなどの通気性に富んだ布製あるいは不織布であり、二つ折りにされ、誘引物質１０を含む小袋１１及び両面粘着テープ１２を挟み込んでいる。
【００１６】
フィルム袋体３０は、フィルムを貫通する多数の小穴３１が形成されており、４辺を封止したもので、内部はダニが好む暗所を形成している。フィルムとしてはＰＥＴフィルムやポリプロピレンフィルムを用いることが好ましい。フィルム袋体３０の内部を暗所とするには、フィルムにアルミ蒸着膜や黒着色フィルムをラミネートしたり、フィルムの全面に黒、紺、エンジなどの遮光性の強い色を印刷することで可能である。フィルムの表面又は裏面には商品名や使用目的、使用方法、禁止事項などを印刷しておくことが好ましい。特に、使用開始日などは白ベタ印刷領域にマジックインキなどで書き込むようにすれば便利である。
【００１７】
小穴３１は袋体３０の製袋工程の前に予め形成されており、例えば、０．２〜１．５ｍｍの直径を有し、２〜５０ｍｍの間隔で形成されている。家屋に生息するダニの大半はヒョウダニやコナダニであり、それらは体長が０．２〜０．５ｍｍ、体幅０．０５〜０．２ｍｍと小さく、直径０．２ｍｍ以上の小穴３１であれば容易に入り込むことができる。
【００１８】
以上の構成からなるダニ捕集マットＡは、押し入れや引出しの中、カーペットの下などに配置された状態でダニを誘引し、多数の小穴３１からフィルム袋体３０の内部に入り込ませて留まらせる。フィルム袋体３０の内部は暗所とされているため、背光性のダニが効果的に誘引され、かつ、一旦入り込んだダニは誘引物質１０の香りと暗がりによって外部に出てくることはない。
【００１９】
フィルム袋体３０に形成された小穴３１は、極小部分であってフィルム袋体３０の内部を暗所に維持することを損なうことがなく、かつ、この捕集マットＡを廃棄する際に、ダニの死骸や糞が外部に脱落、飛散するおそれは殆どない。
【００２０】
特に、フィルム袋体３０は非通気性のプラスチックフィルムであり、袋体３０の内外での通気性が遮断され、一部分の小穴３１のみで通気するため、誘引物質１０が発する誘引香は袋体３０の内部が強く、外部は格段に弱い。そして、小穴３１から外部に出てくる誘引香は濃厚である。つまり、小穴３１から放出される濃厚な誘引香によってダニが小穴３１から袋体３０の内部に誘導される。暗くて濃密な誘引香の空間に一旦入り込んだダニは、光を嫌うことから、内部から見ると光源となっている小穴３１から出てくることはない。
【００２１】
ダニは低湿度に弱いことから、フィルム袋体３０の内部に乾燥剤１３を配置することは、捕獲したダニの死滅を促進する点で好ましい。また、ダニは両面粘着テープ１２にて粘着捕獲される。
【００２２】
（他の実施例）
なお、本発明に係るダニ捕集マットは前記実施例に限定するものではなく、その要旨の範囲内で種々に変更することができる。
【００２３】
例えば、フィルム袋体や緩衝体の細部の構成は任意である。また、誘引物質は誘引匂いを発生するものであれば、種々のものを使用できることは勿論である。
【産業上の利用可能性】
【００２４】
以上のように、本発明は、ダニ捕集マットに有用であり、特に、ダニを効果的に誘引できて内部に閉じ込めておくことができ、また、マットの表面に印刷などが可能である点で優れている。
【符号の説明】
【００２５】
Ａ…ダニ捕集マット
１０…誘引物質
１２…両面粘着シート
１３…乾燥剤
２０…緩衝体
３０…フィルム袋体
３１…小穴
【図１】
2015029433.tif 000003
【図２】
2015029433.tif 000004
【図３】
2015029433.tif 000005